(57)【要約】      （修正有）【課題】伸縮式支柱の位置決め効果を向上する段ばしごの伸縮式支柱位置決め構造を提供する。【解決手段】外部ロッド１０の開口側に露出する内部ロッド２０に設けた固定ブロック２０１の一側には、上下方向に平行配列され、且つ開孔深度が位置決めプレートの厚さと等しく形成された複数の位置決め孔２１０を有する位置決めプレート２１が設けられ、固定部材は一対の金属プレートからなり、その上部側には踏み段を包み込む湾曲プレートが設けられると共に、下部側には踏み段側に湾曲する保護プレートが設けられ、さらに固定部材の中央には指差し孔が形成され、指差し孔の上部側に固定プレートが設けられ、かつ保護プレート同士の間には溝が形成される。【選択図】図２
0003103413.tif 000002
【実用新案登録請求の範囲】
【請求項１】
水平断面がコ字形状の所定間隔で配設された左右一対の外部ロッドと、該各外部ロッドの内部にそれぞれ進退自在に挿入される角棒状の内部ロッドとを有し、内部ロッドの上端に封止ブロックが設けられ、前記外部ロッド間の所定の位置に固定部材によって踏み段が設けられ、該踏み段に位置決め歯部及び弾性部材を有する位置決め部材が設けられた段ばしごの伸縮式支柱位置決め構造であって、
前記外部ロッド１０の開口側に露出する内部ロッド２０に設けた固定ブロック２０１の一側には、上下方向に平行配列され、且つ開孔深度が位置決めプレートの厚さと等しく形成された複数の位置決め孔２１０を有する位置決めプレート２１が設けられ、前記固定部材は一対の金属プレートからなり、その上部側には前記踏み段の端部を包み込む湾曲プレートが設けられると共に、下部側には前記踏み段側に湾曲する保護プレートが設けられ、さらに固定部材の中央には指差し孔が形成され、該指差し孔の上部側に固定プレートが設けられ、かつ保護プレート同士の間には溝が形成されることを特徴とする段ばしごの伸縮式支柱位置決め構造。
【請求項２】
前記位置決めプレートの上端に嵌合プレートが設けられると共に、内部ロッドに嵌合プレートを嵌合するための嵌合孔が形成されることを特徴とする請求項１に記載の段ばしごの伸縮式支柱位置決め構造。
【請求項３】
前記位置決め部材の外側にゴム又はプラスチック製の保護カバー１３２が設けられていることを特徴とする請求項１又は２に記載の段ばしごの伸縮式支柱位置決め構造。
【考案の詳細な説明】
【技術分野】
【０００１】
本考案は、特に伸縮式支柱の位置決め効果を向上する段ばしごの伸縮式支柱位置決め構造に関するものである。
【背景技術】
【０００２】
高所作業においてはよく段ばしごを使用し、この段ばしごによって高所作業を容易に行うことができ非常に便利である。又、従来の段ばしごは収納の利便性を考慮して、支柱を伸縮可能な構造としてコンパクトな状態で収納できるようにしている。
【考案の開示】
【考案が解決しようとする課題】
【０００３】
しかしながら、前記従来の段ばしごの伸縮式支柱位置決め構造にあっては、支柱の伸縮によって踏み段の位置を自由に位置決めすることができないため、使用において非常に不便である。
【０００４】
そこで、案出されたのが本考案であって、伸縮式支柱における踏み段の位置決めを容易にし、使用勝手を向上させた段ばしごの伸縮式支柱位置決め構造を提供することを目的としている。
【課題を解決するための手段】
【０００５】
本願の請求項１の考案は、水平断面がコ字形状の所定間隔で配設された左右一対の外部ロッドと、該各外部ロッドの内部にそれぞれ進退自在に挿入される角棒状の内部ロッドとを有し、内部ロッドの上端に封止ブロックが設けられ、前記外部ロッド間の所定の位置に固定部材によって踏み段が設けられ、該踏み段に位置決め歯部及び弾性部材を有する位置決め部材が設けられた段ばしごの伸縮式支柱位置決め構造であって、前記外部ロッド１０の開口側に露出する内部ロッド２０に設けた固定ブロック２０１の一側には、上下方向に平行配列され、且つ開孔深度が位置決めプレートの厚さと等しく形成された複数の位置決め孔２１０を有する位置決めプレート２１が設けられ、前記固定部材は一対の金属プレートからなり、その上部側には前記踏み段の端部を包み込む湾曲プレートが設けられると共に、下部側には前記踏み段側に湾曲する保護プレートが設けられ、さらに固定部材の中央には指差し孔が形成され、該指差し孔の上部側に固定プレートが設けられ、かつ保護プレート同士の間には溝が形成されることを特徴とする。
請求項２の考案は、請求項１に記載の段ばしごの伸縮式支柱位置決め構造において、前記位置決めプレートの上端に嵌合プレートが設けられると共に、内部ロッドに嵌合プレートを嵌合するための嵌合孔が形成されることを特徴とする。
請求項３の考案は、請求項１又は２に記載の段ばしごの伸縮式支柱位置決め構造において、前記位置決め部材の外側にゴム又はプラスチック製の保護カバー１３２が設けられていることを特徴とする。
【考案の効果】
【０００６】
本考案は上記の課題を解決するものであり、位置決めプレートに位置決めプレートの厚さと等しい開孔深度を有する位置決め孔が形成され、位置決め部材の位置決め歯部を該位置決め孔に挿入することにより、位置決め歯部と位置決めプレートのずれを防止すると共に、支柱の伸縮位置を自由に位置決めることができるので、踏み段の高さ調節を可能にでき使用上非常に利便性及び安全性が高い効果を奏する。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例１】
【０００８】
図１は本考案に係る第１実施例に係る段ばしごの伸縮式支柱位置決め構造の斜視図であり、図２は図１の段ばしごの伸縮式支柱位置決め構造の分解斜視図であり、図３は本考案に係る第１実施例の段ばしごの伸縮式支柱位置決め構造の係合状態を示す要部断面図であり、図４は本考案に係る大実施例の段ばしごの伸縮式支柱位置決め構造の係合解除状態を示す断面図である。
【０００９】
図１及び図２に示すように、本考案に係る段ばしごの伸縮式支柱位置決め構造は、水平断面がコ字形状の左右一対の外部ロッド１０と、該それぞれの外部ロッド１０の内部に進退自在に挿入される角棒状の内部ロッド２０とを有し、各内部ロッド２０の上端には外部ロッド１０からの脱落を防止する封止ブロック２００が設けられている。また、前記左右の外部ロッド１０間の所定位置に取り付けられた固定部材１１には内部中空の角柱状の踏み段１２が取り付けられるようになっている。
以下、この考案の段ばしごの伸縮式支柱位置決め構造における外部ロッド１０及び内部ロッド２０にかかる構成は左右同一なので、片方のみの説明を行うことにする。
【００１０】
前記外部ロッド１０の開口側に露出する内部ロッド２０に設けた固定ブロック２０１の一側には、上下方向に平行配列された複数の位置決め孔２１０を有する位置決めプレート２１が設けられている。
内部ロッド２０と連接する踏み段１２の一端部には、踏み段１２の取り付け高さを定める位置決め歯部１３０及び弾性部材１３１を有する位置決め部材１３が設けられることにより、内部ロッド２０を外部ロッド１０の下方から引き出した際、内部ロッド２０と踏み段１２の相対位置を位置決めすることができる。
【００１１】
前記固定部材１１は同形状の一対の金属プレートであり、その上部側に踏み段１２の端部を包み込む湾曲プレート１１０が折り曲げて設けられると共に、下部側には踏み段１２側へ湾曲する保護プレート１１１が設けられ、又、位置決め部材１３に対応する固定部材１１の中央に指差し孔１１２が形成されている。該指差し孔１１２の上部側には固定プレート１１３が折り曲げ形成され、又、保護プレート１１１同士の間に位置決め部材１３の移動方向を制限する切欠き溝１１１０が形成されることにより、位置決め部材１３を回動する際の揺れる問題を防止できる。
【００１２】
又、位置決め部材１３はピストルのトリガーガードのような保護プレート１１１を有する固定部材１１によって包み込まれるので、誤作動により危険発生の問題を防止できる。
又、位置決め部材１３が使用者の指を傷付ける問題を防止するため、位置決め部材１３の外側にゴム又はプラスチック製の保護カバー１３２を取り付けている。
【００１３】
図３に示すように、本考案に係る段ばしごの伸縮式支柱位置決め構造の位置決め孔２１０の開孔深度は、位置決めプレート２１の厚さと等しく、係合状態において、位置決め部材１３の位置決め歯部１３０が位置決めプレート２１の厚さと等しい深度を有する位置決め孔２１０に挿入することにより、位置決め歯部１３０と位置決めプレート２１のずれを防止することができるので、使用上非常に安全である。
【００１４】
図４に示すように、本考案に係る段ばしごの伸縮式支柱位置決め構造の係合を解除する場合は、位置決め部材１３の保護カバー１３２を押圧し、弾性部材１３１の付勢力に抗して、位置決め部材１３の位置決め歯部１３０を位置決めプレート２１の位置決め孔２１０から脱出させると共に、位置決め部材１３と内部ロッド２０の係合状態を解除することで、内部ロッド２０の外部ロッド１０に対して上下方向への伸縮を可能とすることができる。
【００１５】
又、前記位置決め孔２１０を有する位置決めプレート２１と内部ロッド２０の固定効果を向上させるため、位置決めプレート２１の上端に嵌合プレート２１１が設けられると共に、内部ロッド２０に嵌合プレート２１１と嵌合する嵌合孔２０２が形成されることにより、位置決めプレート２１と内部ロッド２０の結合効果を向上させているので、段ばしごが衝撃を受けても、位置決めプレート２１と内部ロッド２０のずれを防止することができる。
【産業上の利用可能性】
【００１６】
本考案は上記の構成を有するので、位置決めプレートに位置決めプレートの厚さと等しい開孔深度を有する位置決め孔が形成され、位置決め部材の位置決め歯部が該位置決め孔に挿入することにより、位置決め歯部と位置決めプレートのずれを防止すると共に、支柱の伸縮位置を自由に位置決めすることができるので、使用上非常に利便性及び安全性が高い。
【図面の簡単な説明】
【００１７】
【図１】本考案に係る第１実施例に係る段ばしごの伸縮式支柱位置決め構造の斜視図である。
【図２】本考案に係る段ばしごの伸縮式支柱位置決め構造の分解斜視図である。
【図３】本考案に係る段ばしごの伸縮式支柱位置決め構造の係合状態を示す断面図である。
【図４】本考案に係る段ばしごの伸縮式支柱位置決め構造の係合解除状態を示す断面図である。
【符号の説明】
【００１８】
１０        外部ロッド
１１        固定部材
１１０      湾曲プレート
１１１      保護プレート
１１１０    溝
１１２      指差し孔
１１３      固定プレート
１２        踏み段
１３        位置決め部材
１３０      位置決め歯部
１３１      弾性部材
１３２      保護カバー
２０        内部ロッド
２００      封止ブロック
２０１      固定ブロック
２０２      嵌合孔
２１        位置決めプレート
２１０      位置決め孔
２１１      嵌合プレート
【図１】
0003103413.tif 000003
【図２】
0003103413.tif 000004
【図３】
0003103413.tif 000005
【図４】
0003103413.tif 000006